(57)【要約】【課題】省スペース化を図るとともにユーザの利便性を考慮した画像読取装置を提供することを目的とする。【解決手段】まず原稿の四隅を判別する（ステップＳ１１）。そして、次に、指検知が有るかどうかを判断する（ステップＳ１２）。ステップＳ１２において、指検知が有ると判断された場合には、次に原稿の四隅の位置と比較して最も近い位置を読取基準に指定する（ステップＳ１３）。次に、読取基準が複数有るか否かを判断する（ステップＳ１４）。ステップＳ１４において、読取基準が複数有ると判断された場合には、エラー表示とする（ステップＳ１５）。そして、ステップＳ１２に戻る。ステップＳ１４において、読取基準は１つであると判断された場合には、読取基準に基づいて原稿の天地判定を実行する（ステップＳ１６）。【選択図】図７
2010141511.tif 000002
【特許請求の範囲】
【請求項１】
原稿が載置される原稿載置面に対応して設けられ、前記原稿載置面に対する情報の表示および載置された原稿の画像読取をともに実行することが可能な情報表示読取部と、
前記情報表示読取部を制御する制御部とを備え、
前記情報表示読取部は、各々が、行列状に配置され、前記原稿載置面の対応する各領域に対して情報の表示および画像読取を実行するための複数の表示読取ユニットを含み、
前記制御部は、前記複数の表示読取ユニットを制御して、前記原稿載置面に置かれた原稿と前記原稿とともに置かれた手の画像データの読取を実行して、手と判断した箇所に最も近い前記原稿の隅を前記原稿の天地方向の読取基準に設定する、画像読取装置。
【請求項２】
原稿が載置される原稿載置面に対応して設けられ、前記原稿載置面に対する情報の表示および載置された原稿の画像読取をともに実行することが可能な情報表示読取部と、
前記情報表示読取部を制御する制御部と、
前記原稿載置面に対応して設けられたタッチパネルとを備え、
前記情報表示読取部は、各々が、行列状に配置され、前記原稿載置面の対応する各領域に対して情報の表示および画像読取を実行するための複数の表示読取ユニットを含み、
前記制御部は、前記複数の表示読取ユニットを制御して、前記原稿載置面に置かれた原稿の画像データの読取を実行し、前記タッチパネルによりタッチを検出した箇所に最も近い前記原稿の隅を前記原稿の天地方向の読取基準に設定する、画像読取装置。
【請求項３】
原稿が載置される原稿載置面に対応して設けられ、前記原稿載置面に対する情報の表示および載置された原稿の画像読取をともに実行することが可能な情報表示読取部と、
前記情報表示読取部を制御する制御部と、
前記原稿載置面に対応して設けられた温度センサパネルとを備え、
前記情報表示読取部は、各々が、行列状に配置され、前記原稿載置面の対応する各領域に対して情報の表示および画像読取を実行するための複数の表示読取ユニットを含み、
前記制御部は、前記複数の表示読取ユニットを制御して、前記原稿載置面に置かれた原稿の画像データの読取を実行し、前記温度センサパネルにより温度変化を検出した箇所に最も近い前記原稿の隅を前記原稿の天地方向の読取基準に設定する、画像読取装置。
【請求項４】
前記制御部は、前記原稿の天地方向の設定された読取基準に従って、原稿読取の際の前記原稿載置面に対して載置された原稿の画像読取を実行する際の出力状態を判断できる案内画面を表示する、請求項１〜３のいずれかに記載の画像読取装置。
【請求項５】
前記制御部は、前記原稿の隅を前記原稿の天地方向の読取基準に設定できない場合には、エラー表示する、請求項１〜３のいずれかに記載の画像読取装置。
【請求項６】
前記制御部は、前記複数の表示読取ユニットを制御して、前記原稿載置面に設定された前記原稿の天地方向の読取基準位置を表示する、請求項１〜３のいずれかに記載の画像読取装置。
【発明の詳細な説明】
【技術分野】
【０００１】
本発明は、原稿の画像を読取る画像読取装置に関し、表示機能を有する画像読取装置に関する。
【背景技術】
【０００２】
近年、文章等を電子化したり複写したりする手段としてイメージスキャナと呼ばれる画像読取装置が用いられている。イメージスキャナとしては、たとえば、特開昭６１−２４４１６９号公報および特開２００１−１９７２６７号公報に示されているように原稿ガラス等に載せられた原稿をランプ等からの直接光あるいは反射板からの反射光により照射し、原稿から反射した画像情報を有する反射光を複数のミラーを介して光電変換素子の受光面上へ縮小結像させる構成が取られている。このようなイメージスキャナにおいては原稿から光電変換素子までの光路長を長く取る必要があり、装置の小型化が難しいという問題がある。
【０００３】
一方、近年においてはエリアセンサを用いた画像読取装置が提案されている。特開平５−１７３７０９号公報においては、装置の小型化を図ることがが可能な表示機能を有する表示装置と、エリアセンサとを一体としたイメージセンサ付き表示入力一体型装置が示されている。
【０００４】
また、別の画像読取装置として、特開平７−１６２６６７号公報においては、原稿を原稿台の上に載置し、原稿の上から撮像センサで画像データを取得する画像読取装置が提案されている。
【特許文献１】特開昭６１−２４４１６９号公報
【特許文献２】特開２００１−１９７２６７号公報
【特許文献３】特開平５−１７３７０９号公報
【特許文献４】特開平７−１６２６６７号公報
【発明の開示】
【発明が解決しようとする課題】
【０００５】
一方で、従来の画像読取装置においては、原稿の画像読取を実行する際に原稿載置面の端部からの読取を実行するため端部に設けられた読取基準位置に原稿を載置することが求められるが、エリアセンサの場合、端部からの読取ではなく原稿載置面全体を読取る方式である。
【０００６】
したがって、自由に原稿載置面に載置することが可能であるため通常、原稿を載置するための読取基準位置は設けられておらず、使用するユーザはどのように原稿を原稿載置面に載置すれば天地方向を考慮した所望の画像読取が実行されるかを瞬時に判断することができない。そのため、ユーザの利便性に欠けるという問題があった。
【０００７】
特開平５−１７３７０９号公報においては、単に表示装置とエリアセンサとが一体となった構成が示されているのみでありこの点については何ら記載されていない。また、特開平７−１６１６６７号公報においては、原稿の対角位置を手で抑えて手と原稿との境界を検出して原稿を検出する方式が開示されているのみであり、原稿の天地方向については何ら考慮されていない。
【０００８】
本発明は、上記のような問題を解決するためになされたものであって、省スペース化を図るとともにユーザの利便性を考慮した画像読取装置を提供することを目的とする。
【課題を解決するための手段】
【０００９】
本発明に係る画像読取装置は、原稿が載置される原稿載置面に対応して設けられ、原稿載置面に対する情報の表示および載置された原稿の画像読取をともに実行することが可能な情報表示読取部と、情報表示読取部を制御する制御部とを備える。情報表示読取部は、各々が、行列状に配置され、原稿載置面の対応する各領域に対して情報の表示および画像読取を実行するための複数の表示読取ユニットを含む。
制御部は、複数の表示読取ユニットを制御して、原稿載置面に置かれた原稿と原稿とともに置かれた手の画像データの読取を実行して、手と判断した箇所に最も近い原稿の隅を原稿の天地方向の読取基準に設定する。
【００１０】
本発明に係る別の画像読取装置は、原稿が載置される原稿載置面に対応して設けられ、原稿載置面に対する情報の表示および載置された原稿の画像読取をともに実行することが可能な情報表示読取部と、情報表示読取部を制御する制御部と、原稿載置面に対応して設けられたタッチパネルとを備える。情報表示読取部は、各々が、行列状に配置され、原稿載置面の対応する各領域に対して情報の表示および画像読取を実行するための複数の表示読取ユニットを含む。制御部は、複数の表示読取ユニットを制御して、原稿載置面に置かれた原稿の画像データの読取を実行し、タッチパネルによりタッチを検出した箇所に最も近い原稿の隅を原稿の天地方向の読取基準に設定する。
【００１１】
本発明に係るさらに別の画像読取装置は、原稿が載置される原稿載置面に対応して設けられ、原稿載置面に対する情報の表示および載置された原稿の画像読取をともに実行することが可能な情報表示読取部と、情報表示読取部を制御する制御部と、原稿載置面に対応して設けられた温度センサパネルとを備える。情報表示読取部は、各々が、行列状に配置され、原稿載置面の対応する各領域に対して情報の表示および画像読取を実行するための複数の表示読取ユニットを含む。制御部は、複数の表示読取ユニットを制御して、原稿載置面に置かれた原稿の画像データの読取を実行し、温度センサパネルにより温度変化を検出した箇所に最も近い原稿の隅を原稿の天地方向の読取基準に設定する。
【００１２】
好ましくは、制御部は、原稿の天地方向の設定された読取基準に従って、原稿読取の際の原稿載置面に対して載置された原稿の画像読取を実行する際の出力状態を判断できる案内画面を表示する。
【００１３】
好ましくは、制御部は、原稿の隅を原稿の天地方向の読取基準に設定できない場合には、エラー表示する。
【００１４】
好ましくは、制御部は、複数の表示読取ユニットを制御して、原稿載置面に設定された原稿の天地方向の読取基準位置を表示する。
【発明の効果】
【００１５】
本発明に係る画像読取装置は、原稿が載置される原稿載置面に対応して設けられ、原稿載置面に対する情報の表示および載置された原稿の画像読取をともに実行することが可能な情報表示読取部と、情報表示読取部を制御する制御部とをを設け、原稿載置面に置かれた原稿と原稿とともに置かれた手の画像データの読取を実行して、手と判断した箇所に最も近い原稿の隅を原稿の天地方向の読取基準に設定する。
【００１６】
したがって、原稿を載置した際の手の位置により読取基準が指定され、指定された読取基準に従って天地判定処理が実行されて、自己の所望する出力状態とすることが可能であるためユーザの利便性が向上する。
【発明を実施するための最良の形態】
【００１７】
以下、図面を参照しつつ本発明の実施の形態について説明する。以下の説明において同一の部品および構成要素には同一の符号を付してある。それらの名称および機能も同一であるものとする。
【００１８】
（実施の形態１）
図１は、本発明の実施の形態１に従うＭＦＰ（Multi Function Peripheral）１００の構成を説明する図である。
【００１９】
図１を参照して、本発明の実施の形態１に従うＭＦＰ１００は、コピー機能、スキャナ機能、プリンタ機能等を有するデジタル複合機である。
【００２０】
本発明の実施の形態１に従うＭＦＰ１００は、操作パネル１０を備えており、この操作パネル１０は、複数のキー１１ａ、当該キー１１ａに対するユーザの操作による各種の指示や、文字、数字などのデータの入力を受付ける操作入力部１１と、ユーザに対する指示メニューや取得した画像に関する情報などを表示を行なう液晶等からなる操作ディスプレイ１２とを有している。
【００２１】
また、ＭＦＰ１００は、後述するが原稿を光学的に読取って画像データを得るとともに原稿載置面に対して情報の表示が可能な情報表示読取部１３と、取得した画像データに基づいて記録シート上に画像を印刷するプリンタ部１４とを備える。
【００２２】
ＭＦＰ１００の本体上面には原稿を情報表示読取部１３に送るフィーダ部１７が、下部にはプリンタ部１４に記録シートを供給する給紙部１８が、中央部にはプリンタ部１４によって画像を印刷された記録シートが排出されるトレー１９がそれぞれ配備されている。
【００２３】
さらに、ＭＦＰ１００の本体内部には、本体を制御するための各部で用いられる制御プログラム、画像データと必要なデータを記憶する記憶部２６などが設けられている。
【００２４】
図２は、本発明の実施の形態１に従うＭＦＰ１００の機能ブロック図である。
図２を参照して、本発明の実施の形態１に従うＭＦＰ１００は、原稿等、紙媒体等の資料を画像データ（電子データ）に変換するための画像読取部３０と、制御プログラム等が格納されたＲＯＭ（Read Only Memory）、制御部２０等で実行される制御処理を実行するためのワークエリア等として用いられるＲＡＭ（Random Access Memory）、およびＭＦＰ１００に登録された各種情報等を格納するＨＤＤ（Hard Disk Drive）等で構成される記憶部２６と、印刷処理を実行するための印刷部３５と、入力等の操作指示を実行する操作部４０と、情報を表示する表示部４５と、ＭＦＰ１００全体を制御する制御部２０とを備える。制御部２０は、例えばＣＰＵ（Central Processing Unit）等で構成されるものとする。
【００２５】
なお、各部は内部バス２２を介して制御部２０と接続されており、制御部２０は、各部との間でデータの授受を実行することが可能である。
【００２６】
画像読取部３０は、原稿載置面に対して行列状に配列された複数の光電変換素子（受光素子）で構成される光センサパネル部５０と、光センサパネル部５０を駆動するための光センサ駆動制御部３２とを含む。
【００２７】
また、操作部４０は、上記で説明した操作パネル１０を含む。
また、表示部４５は、原稿載置面に対して行列状に配列された複数の液晶素子で構成される液晶パネル部６０と、液晶パネル部６０を駆動するための液晶駆動制御部４７とを含む。
【００２８】
なお、情報表示読取部１３は、画像読取部３０と表示部４５とで構成されるものとする。
【００２９】
図３は、本発明の実施の形態１に従う情報表示読取部１３の構成を説明する図である。
図３を参照して、ここではフィーダ部１７を取り除いたＭＦＰ１００の原稿載置面を上から見た場合の構成が示されている。具体的には、外枠１で囲まれた領域内に原稿載置面２が設けられているものとする。また、原稿載置面２に対応して行列状に配置された複数の表示読取ユニット３が設けられた構成が示されている。
【００３０】
なお、本例においては、原稿載置面を表示読取ユニット３の上面部分とする場合について説明するが、表示読取ユニット３の上面部分に保護フィルム等を設けたりすることは当然に可能であり、特にこの構成に限られない。
【００３１】
また、本例においては、一例として、原稿載置面と、複数の表示読取ユニット３の領域とがそれぞれ同一の面積として対応付けられている場合について説明するが、特にこれに限られず、それぞれが異なる面積とすることも可能であり、特にこの構成に限られない。
【００３２】
図４は、本発明の実施の形態１に従う表示読取ユニット３の構成を説明する図である。
図４を参照して、本発明の実施の形態１に従う表示読取ユニット３は、光センサユニット４と、液晶ユニット５とで構成される。
【００３３】
光センサユニット４は、Ｒ，Ｇ，Ｂ信号をそれぞれ受光することが可能な光電変換素子４ｒ，４ｇ，４ｂとで構成される。当該光センサユニット４が行列状に配置されることにより光センサパネル部５０を構成する。当該光センサパネル部５０は、光センサ駆動制御部３２により駆動制御されるものとする。そして、光センサユニット４は、Ｒ，Ｇ，Ｂ信号を受光可能であるためカラーセンサを構成する。
【００３４】
また、液晶ユニット５は、Ｒ，Ｇ，Ｂ信号を発光可能な液晶素子５ｒ，５ｇ，５ｂとで構成される。当該液晶ユニット５が行列状に配置されることにより液晶パネル部６０を構成する。当該液晶パネル部６０は、液晶駆動制御部４７により駆動制御されるものとする。そして、液晶ユニット５は、Ｒ，Ｇ，Ｂ信号を発光可能であるため原稿載置面にカラー表示することが可能である。なお、本例においては、液晶素子を用いる場合について説明するが、有機ＥＬ（Electro-Luminescence）を用いたりあるいは他の発光素子を用いることも可能である。
【００３５】
したがって、液晶ユニット５を用いることにより、表示読取ユニット３が配置された領域に対応する原稿載置面において任意の情報を表示することが可能であるとともに、光センサユニット４を用いることにより、表示読取ユニット３が配置された領域に対する原稿載置面において、載置された原稿のカラー画像データを取得することが可能である。
【００３６】
図５は、本発明の実施の形態１に従うＭＦＰ１００における操作パネル１０の構成を説明する図である。
【００３７】
図５を参照して、スタートキー２０１は、コピー／スキャン等の動作を開始させるために用いられる。テンキー２０２はコピー枚数等の数値等あるいはパスワード等を入力するために用いられる。クリアキー２０３は、入力された数値のクリア、および蓄積された画像記憶の画像データを破棄するために用いられる。
【００３８】
ストップキー２０４は、コピー／スキャン動作の停止を指示するために用いられる。パネルリセットキー２０５は、設定されているモードおよびジョブを破棄するために用いられる。
【００３９】
また、操作ディスプレイ１２は、各種モードの表示や設定等を実行するためにタッチパネル２０６が取付けられている。
【００４０】
このタッチパネル２０６によって、ユーザは操作ディスプレイ１２内の表示内容に従った各種設定を行なうことができる。また、タッチパネル２０６における設定画面領域２０７には、通常はコピー動作やスキャン動作を実行する際に行なう基本的／応用的な設定のためのボタンが配置されている。各ボタンを押下するとその詳細設定を行なうための階層画面が表示される。
【００４１】
タッチパネル２０６のジョブ情報画面領域２０８にはその時点でＭＦＰ１００に投入されているジョブ情報が表示される。表示は実行されるべきジョブの順序で並んでいる。特定のジョブに対して消去変更等の操作を行なう場合は、ジョブ操作ボタン２０９を選択した後、操作対象となるジョブ番号ボタンを押下する。それらの操作によってジョブ操作画面が表示され、特定のジョブに対する操作が可能となる。また、ジョブ履歴確認ボタン２１０を押下することにより、実行されたジョブの履歴を確認することが可能となる。
【００４２】
コピー（Copy）キー２１０、およびスキャン（Scan）キー２１１は、ＭＦＰ１００をコピー／スキャナのいずれのモードで動作させるかを設定するための選択キーである。
【００４３】
コピーキー２１０を押下した場合、ＭＦＰ１００はコピー機として使用可能となる。この状態ではスキャナ動作は実行することはできない。
【００４４】
また、スキャンキー２１１を押下した場合、ＭＦＰ１００はスキャナとなる。この状態ではコピー動作を実行することはできない。
【００４５】
なお、コピーキー２１０とスキャンキー２１１は排他的動作となり、一方を選択すると自動的に他方は非選択状態となる。
【００４６】
なお、操作パネル１０に対する操作は常時可能であり、本例においては、一例として、コピーキー２１０が初期設定として選択されている場合の処理について説明する。
【００４７】
また、後述する集約処理に関して、例えば設定画面領域２０７において、「応用」のタブボタンを押下することにより、階層画面として複数ページの画像データを１ページの画像データに集約することが可能な「Ｎｉｎ１」の機能選択ボタンが設けられているものとする。そして、当該「Ｎｉｎ１」の機能選択ボタン、本例においては、「２ｉｎ１」の機能選択ボタンを選択することにより集約処理の機能が実行されるものとする。
【００４８】
図６は、本発明の実施の形態１に従う原稿読取を実行する処理の流れを説明するフロー図である。
【００４９】
図６を参照して、まずフィーダ部１７が上がったかどうかを判断する（ステップＳ１）。具体的には、一例として図示しないがフィーダ部１７が持ち上げられて、原稿を原稿載置面に例えば手で載置可能となる状態となったことを検知するセンサが設けられているものとする。そして、当該センサにより、フィーダ部１７が上がったと検知されたかどうかを判断する。センサとしては、フィーダ部１７が持ち上げられた場合のフィーダ部と原稿載置面との角度を検出することが可能である。なお、フィーダ部１７が上がったことが検知されれば良く、特にその検知の方式等については限定されない。
【００５０】
次に、フィーダ部１７が上がったと判断された場合には、次に原稿読取モードを開始する（ステップＳ２）。具体的には、制御部２０は、センサからの検知結果に基づいてフィーダ部１７が上がったと判断した場合に原稿読取モードを開始する。
【００５１】
そして、次に、原稿載置面に原稿があるかどうかを判断する（ステップＳ３）。具体的には、制御部２０は、画像読取部３０の光センサ駆動制御部３２に対して光センサパネル部５０により画像データを取得するように指示する。
【００５２】
そして、制御部２０は、光センサパネル部５０により原稿載置面全体の画像データを取得して、画像データが存在するか否かを判断する。一方、ステップＳ３において、原稿が無いと判断される場合には、当該処理を繰り返す。
【００５３】
制御部２０は、画像データが存在する、すなわち、所定の面積以上の物体が原稿載置面に配置されたと判断した場合には、原稿載置面に原稿があると判断して、次に、読取基準判定処理を実行する（ステップＳ４）。なお、ステップＳ３における、原稿載置面全体の画像データを取得して、画像データが存在するか否かの判断処理等の画像処理については、当該機能を実現する画像処理プログラムが予め記憶部２６のＲＯＭに格納されており、制御部２０において、当該画像処理プログラムが起動されることにより実行されるものとする。以下の画像処理についても同様であるものとする。
【００５４】
図７は、本発明の実施の形態１に従う読取基準判定処理を説明するフロー図である。
図７を参照して、まず原稿の四隅を判別する（ステップＳ１１）。
【００５５】
具体的には、制御部２０は、原稿載置面全体の画像データに基づいて、例えば色判別を行ない濃度差等に基づいて原稿に対応する画像データの領域を抽出し原稿の四隅を判別するものとする。
【００５６】
そして、次に、指検知が有るかどうかを判断する（ステップＳ１２）。具体的には、原稿載置面全体の画像データに基づいて、色判別を行い濃度差等に基づいて指が存在するかいなかを判断する。
【００５７】
ステップＳ１２において、指検知が有ると判断された場合には、次に原稿の四隅の位置と比較して最も近い位置を読取基準に指定する（ステップＳ１３）。
【００５８】
次に、読取基準が複数有るか否かを判断する（ステップＳ１４）。
ステップＳ１４において、読取基準が複数有ると判断された場合には、エラー表示とする（ステップＳ１５）。そして、ステップＳ１２に戻る。
【００５９】
一方、ステップＳ１４において、読取基準は１つであると判断された場合には、読取基準に基づいて原稿の天地判定を実行する（ステップＳ１６）。
【００６０】
そして、処理を終了する（リターン）。
図８は、本発明の実施の形態１に従う読取基準判定処理において、指を検知する場合を説明する図である。
【００６１】
図８（ａ）を参照して、ここでは、原稿７が原稿載置面２に載置された場合が示されており、原稿の四隅のうちの右上角付近を指で抑えている場合が示されている。
【００６２】
図８（ｂ）は、原稿７の四隅のうちの右上角付近を拡大した場合の図である。
図８（ｂ）に示されるように原稿７の四隅から指がはみ出している場合が示されている。
【００６３】
したがって、表示読取ユニット３の光センサユニット４において当該はみだしている指の画像データを取得することが可能である。
【００６４】
指検知は、取得した画像データに基づいて、例えば肌色等の色判別を行い濃度差等に基づいて指が存在するか否かを判断する。当該指検知の画像処理については、当該機能を実現する画像処理プログラムが予め記憶部２６のＲＯＭに格納されており、制御部２０において、当該画像処理プログラムが起動されることにより実行されるものとする。
【００６５】
そして、この場合において、読取基準は、ステップＳ１３において、原稿の四隅の位置と比較して最も近い位置に指定されるため、原稿の右上側角部に指定されることになる。天地判定は、一例として、指定された読取基準位置に対して、縦方向に沿って天地判定を実行するものとする。具体的には、原稿７の右上側の角部について、読取基準が指定された場合には、右上側の角部が天となり、右下側の角部が地となる天地方向とする。また、一方、原稿７の右下側の角部について、読取基準が指定された場合には、右下側の角部が天となり、右上側の角部が地となる天地方向となる。原稿７の左側の角部についても同様である。
【００６６】
図９は、本発明の実施の形態１に従う読取基準判定処理において、指を検知する別の場合を説明する図である。
【００６７】
図９（ａ）を参照して、ここでは、原稿７が原稿載置面２に載置された場合が示されており、原稿の四隅のうちの右上角付近を手で抑えている場合が示されている。
【００６８】
図９（ｂ）は、原稿７の四隅のうちの右上角付近を拡大した場合の図である。
図９（ｂ）に示されるように原稿７の四隅から複数本の指がはみ出している場合が示されている。
【００６９】
したがって、表示読取ユニット３の光センサユニット４において当該はみだしている指の画像データを取得することが可能である。
【００７０】
この場合においても、読取基準は、ステップＳ１３において、原稿の四隅の位置と比較して最も近い位置に指定されるため、原稿の右上側角部に指定されることになる。
【００７１】
図１０は、本発明の実施の形態１に従う読取基準判定処理において、指を検知するさらに別の場合を説明する図である。
【００７２】
図１０（ａ）を参照して、ここでは、原稿７が原稿載置面２に載置された場合が示されており、原稿の四隅のうちの右上角付近および左下角付近をそれぞれ手で抑えている場合が示されている。
【００７３】
この場合には、読取基準は、ステップＳ１３において、原稿の四隅の位置と比較して最も近い位置に指定されるが、複数の指が検知されているため、原稿の右上側角部と、原稿の左下角部に指定されることになる。
【００７４】
したがって、ステップＳ１４において、読取基準は複数あると判断されるためステップＳ１５に進み、エラー表示となる。
【００７５】
本例においては、「読取基準を再指示してください」のエラー表示がなされている旨がなされている。
【００７６】
したがって、ユーザは当該表示により、いずれか一方の手による読取基準の指定を外すように促される。
【００７７】
再び図６を参照して、判定結果に基づいて出力画像の向きに関する案内画面を表示する（ステップＳ５）。
【００７８】
具体的には、図７における読取基準判定処理に従って、制御部２０は、表示部４５の液晶駆動制御部４７に対して液晶パネル部６０により、指定した読取基準に基づく天地判定処理により出力画像の向きに関する案内画面を表示するように指示する。
【００７９】
具体的には、図８（ａ）には、案内画面６が原稿載置面２に表示されており、縦方向に沿って、原稿の天地判定処理が実行された出力画像の向きが示されている。一例として、右上側の角部が天となり、右下側の角部が地となる天地方向の出力画像が示されている。本例においては、原稿画像データとして取得した文字「Ｆ」の案内画面６が示されている。なお、ここでは、原稿画像データとして取得した画像を縮小して案内画面６に表示する場合が示されているが、取得した原稿画像データではなく、予め記憶部２６等に格納されているモデルとなる図形を用いて案内画面６に表示するようにしても良い。なお、案内画面６の位置は原稿が載置されていない任意の位置に表示するようにすることが可能である。
【００８０】
また、図９（ａ）においても同様の案内画面６が原稿載置面２に表示されている場合が示されている。
【００８１】
再び、図６を参照して、次にスタートキーの押下があるかどうかを判断する（ステップＳ６）。
【００８２】
具体的には、操作パネル１０によるスタートキーの押下があった場合には次のステップに進み、なければステップＳ３に戻る。そして、再び、指により読取基準を指定した場合には、当該読取基準に更新されるものとする。
【００８３】
ステップＳ６において、スタートキーの押下があった場合には案内画面の消去を実行する（ステップＳ７）。
【００８４】
具体的には、制御部２０は、操作パネル１０によるスタートキーの押下を検知した場合には、表示部４５の液晶駆動制御部４７に対して液晶パネル部６０により表示された案内画面の消去を指示する。
【００８５】
そして、原稿読取を実行する（ステップＳ８）。
具体的には、制御部２０は、光センサパネル部５０により原稿載置面全体の画像データを取得して、原稿載置面に載置された原稿の原稿画像データを抽出する。例えば、制御部２０は、色判別を行ない濃度差等に基づいて原稿画像データのみを抽出する。当該原稿画像データの抽出処理等の画像処理については、当該機能を実現する画像処理プログラムが予め記憶部２６のＲＯＭに格納されており、制御部２０において、当該画像処理プログラムが起動されることにより実行されるものとする。
【００８６】
そして、次に、データを出力する（ステップＳ９）。本例においては、図５で説明したようにコピーキー２１０が初期設定として選択されており、機能としては、コピー機能が設定されているため、抽出した原稿画像データは、上記で説明した指定された読取基準に基づいて原稿の天地判定処理を実行した上で印刷部３５に出力される。
【００８７】
そして、印刷部３５において、原稿画像データは紙媒体等に印刷処理され出力される。
そして、処理を終了する（エンド）。
【００８８】
当該処理により、ユーザは、原稿を載置して画像読取を実行する際に自己が指定した読取基準に従って天地判定処理が実行されて、自己の所望する出力状態とすることが可能であるためユーザの利便性が向上する。
【００８９】
また、原稿を載置する際に指検知が有った場合には、原稿を載置した際の指検知に従って読取基準が指定されるため簡易な方式で読取基準が指定されることになる。
【００９０】
また、指定された読取基準が所望の読取基準でない場合には、再度、読取基準を自己で指定することにより所望の読取基準に指定することが可能である。
【００９１】
図１１は、本発明の実施の形態１に従う読取基準判定処理において、原稿を載置した場合に指を検知した場合を説明する別の図である。
【００９２】
図１１を参照して、図８で説明した場合と同様であるが、本例においては、指定した読取基準のオブジェクト８が表示されている場合が示されている。具体的には、原稿の四隅のうちの右上角付近を手で指しているため、原稿載置面において、オブジェクト８により読取基準が右上角付近であることが表示されている。具体的には、図７における読取基準判定処理に従って、制御部２０は、表示部４５の液晶駆動制御部４７に対して液晶パネル部６０により、指定した読取基準の位置を示すオブジェクト表示をするように指示する。
【００９３】
当該表示により、ユーザは瞬時に原稿の四隅に関して、読取基準の位置がどこかを認識することが可能である。
【００９４】
また、本発明の実施の形態１に従う方式は、例えば、天地が反対となった状態で原稿を載置した場合であっても、読取基準を指定することにより、原稿を再度、天地を入れ替えて載置させる必要は無く、ユーザの利便性が向上する。
【００９５】
図１２は、本発明の実施の形態１に従う読取基準判定処理において、天地が反対となった状態で原稿を載置した場合に指を検知した場合を説明する図である。
【００９６】
図１２を参照して、ここでは、原稿７が原稿載置面２に載置された場合が示されており、原稿の四隅のうちの右下角付近を手で抑えている場合が示されている。
【００９７】
この場合には、読取基準は、ステップＳ１３において、原稿の四隅の位置と比較して最も近い位置に指定されるため、原稿の四隅のうちの右下角部が指定されることになる。
【００９８】
これにより、出力画像の向きに関する案内画面６においては、現地が反対となった状態で原稿を載置した場合であっても読取基準を右下角部に指定することにより、縦方向に沿って右下角部を天として、右上角部を地とすることが可能となる。したがって、天地が反対となった状態で原稿を原稿載置面に載置した場合であっても、天地を再度入れ替える必要は無くユーザの指定によりユーザの所望する出力状態とすることが可能であり、利便性が高い。
【００９９】
また、集約処理の機能が選択されている場合の処理について説明する。
集約処理に関して、上述したように図５の操作パネル１０において、設定画面領域２０７において、「応用」のタブボタンを押下して、「２ｉｎ１」の機能選択ボタンを選択した場合について説明する。この場合には、例えば、奇数枚目（１枚目）と偶数枚目（２枚目）とが１枚の原稿として集約される処理が実行されるものとする。スタートキーの押下に従って１枚目の原稿が読み取りられ、さらに次のスタートキーの押下に従って２枚目の原稿が読取られて、１つの原稿として印刷処理されるものとする。
【０１００】
図１３は、本発明の実施の形態１に従う集約処理を実行する場合の読取基準を指定する場合の処理を説明する図である。
【０１０１】
図１３を参照して、ここでは、１枚目の原稿９Ａと、２枚目の原稿９Ｂとについて「２ｉｎ１」の集約処理の機能を実行する場合について説明する。
【０１０２】
具体的には、１枚目の原稿９Ａについて、図７で説明した読取基準判定処理において、原稿の四隅の右上の角を読取基準として指定した場合が示されている。そして、本例においては、当該読取基準に基づいて原稿の天地判定処理が実行されてスタートキーが押下されたものとする。これにより、縦方向に沿って右上の角が天となり、右下の角が地となる天地方向が設定される。
【０１０３】
そいて、２枚目の原稿９Ｂについて、図７で説明した読取基準判定処理において、原稿の四隅の左下の角を読取基準として指定した場合が示されている。そして、本例においては、当該読取基準に基づいて原稿の天地判定処理が実行されてスタートキーが押下されたものとする。これにより、縦方向に沿って左下の角が天となり、左上の角が地となる天地方向が設定される。
【０１０４】
したがって、集約処理を実行した場合において、天地が反対の原稿が載置された場合であっても読取基準を適切に指定して天地判定処理を実行することにより、天地を再度入れ替える必要は無くユーザの指定によりユーザの所望する出力状態とすることが可能であり、利便性が高い。
【０１０５】
なお、従来の画像読取装置においては、原稿を画像読取を実行する際に原稿載置面の端部からの読取を実行するため端部に設けられた読取基準位置に原稿を正確に載置することが求められる。一方、本例においては、原稿９Ｂが原稿載置面に対して傾いて載置されているが本実施の形態に従う方式はエリアセンサであるため、載置する位置が大幅に広がった上、原稿の原稿載置面に対する傾きがある場合でも天地方向が設定されて傾きが自動的に補正されるためユーザの利便性が向上する。
【０１０６】
また、本実施の形態１に従う方式は、光センサパネル部５０を用いたエリアセンサにより原稿読取が可能であるため装置の省スペース化を図ることが可能である。
【０１０７】
なお、本例においては、コピー機能が設定されている場合について説明したが、スキャン機能が設定されている場合についても同様である。
【０１０８】
（実施の形態２）
図１４は、本発明の実施の形態２に従うＭＦＰ１１０の機能ブロック図である。
【０１０９】
図１４を参照して、本発明の実施の形態２に従うＭＦＰ１１０は、実施の形態１に従うＭＦＰ１００と比較して、操作部４０にさらにタッチパネル８０を設けた点が異なる。
【０１１０】
その他の点については、図２で説明したＭＦＰ１００と同様であるのでその詳細な説明は繰り返さない。
【０１１１】
図１５は、タッチパネル８０を複数の表示読取ユニットの上部に設けた場合を説明する図である。
【０１１２】
図１５を参照して、タッチパネル８０の上面部分を原稿載置面とする。タッチパネルは、複数の領域に分割され、複数の領域にそれぞれ対応して設けられた複数のタッチパネルユニットにより構成されているものとする。なお、本例においては一例としてタッチパネルユニットと表示読取ユニットとはそれぞれ１対１に対応付けられているものとする。
なお、タッチパネルユニットは透明電極で構成され、下部に設けられた表示読取ユニット３が駆動されることにより透明電極で構成されたタッチパネルユニットを介して上面の原稿載置面２に対して情報が表示されるものとする。あるいは、上面の原稿載置面２に載置された原稿について、透明電極で構成されたタッチパネルユニットを介して下部に設けられた表示読取ユニット３は画像読取を実行して画像データを取得するものとする。
【０１１３】
図６および図７における処理は実施の形態１で説明したのと基本的に同様である。
図７の読取基準判定処理のフローにおいて、指検知が有るかどうかは、本発明の実施の形態２に従う方式においては、タッチパネル８０により検出するものとする。
【０１１４】
図１６は、本発明の実施の形態２に従う読取基準判定処理において、指を検知する場合を説明する図である。
【０１１５】
図１６において、原稿７が原稿載置面２に載置された場合が示されており、原稿の四隅のうちの右上角付近を指で抑えた場合が示されている。
【０１１６】
タッチパネル８０は、指のタッチを検出して、原稿の四隅の位置と比較して最も近い位置を読取基準に指定する。以降の処理については実施の形態１で説明したのと同様である。
【０１１７】
当該方式においても実施の形態１で説明したのと同様に、ユーザは、原稿を載置して画像読取を実行する際に自己が指定した読取基準に従って天地判定処理が実行されて、自己の所望する出力状態とすることが可能であるためユーザの利便性が向上する。
【０１１８】
また、集約処理の機能が選択されている場合の処理について説明する。
集約処理に関して、上述したように図５の操作パネル１０において、設定画面領域２０７において、「応用」のタブボタンを押下して、「２ｉｎ１」の機能選択ボタンを選択した場合について説明する。この場合には、例えば、奇数枚目（１枚目）と偶数枚目（２枚目）とが１枚の原稿として集約される処理が実行されるものとする。スタートキーの押下に従って１枚目の原稿が読み取りられ、さらに次のスタートキーの押下に従って２枚目の原稿が読取られて、１つの原稿として印刷処理されるものとする。
【０１１９】
図１７は、本発明の実施の形態２に従う集約処理を実行する場合の読取基準を指定する場合の処理を説明する図である。
【０１２０】
図１７を参照して、ここでは、１枚目の原稿９Ａと、２枚目の原稿９Ｂとについて「２ｉｎ１」の集約処理の機能を実行する場合について説明する。
【０１２１】
具体的には、１枚目の原稿９Ａについて、図１６で説明したのと同様に、原稿の四隅の右上の角付近を指でタッチすることにより、タッチパネル８０によりタッチ位置が検出されて原稿の四隅の位置と比較して最も近い位置である、右上の角が読取基準として指定された場合が示されている。そして、本例においては、当該読取基準に基づいて原稿の天地判定処理が実行されてスタートキーが押下されたものとする。これにより、縦方向に沿って右上の角が天となり、右下の角が地となる天地方向が設定される。
【０１２２】
そいて、２枚目の原稿９Ｂについて、図１６で説明したのと同様に、原稿の四隅の左下の角付近を指でタッチすることにより、タッチパネル８０によりタッチ位置が検出されて原稿の四隅の位置と比較して最も近い位置である、左下の角が読取基準として瀬指定された場合が示されている。そして、本例においては、当該読取基準に基づいて原稿の天地判定処理が実行されてスタートキーが押下されたものとする。これにより、縦方向に沿って左下の角が天となり、左上の角が地となる天地方向が設定される。
【０１２３】
したがって、集約処理を実行した場合において、天地が反対の原稿が載置された場合であっても読取基準を適切に指定して天地判定処理を実行することにより、天地を再度入れ替える必要は無くユーザの指定によりユーザの所望する出力状態とすることが可能であり、利便性が高い。
【０１２４】
なお、従来の画像読取装置においては、原稿を画像読取を実行する際に原稿載置面の端部からの読取を実行するため端部に設けられた読取基準位置に原稿を正確に載置することが求められる。一方、本例においては、原稿９Ｂが原稿載置面に対して傾いて載置されているが本実施の形態に従う方式はエリアセンサであるため、載置する位置が大幅に広がった上、原稿の原稿載置面に対する傾きがある場合でも天地方向が設定されて傾きが自動的に補正されるためユーザの利便性が向上する。
【０１２５】
また、本実施の形態２に従う方式は、光センサパネル部５０を用いたエリアセンサにより原稿読取が可能であるため装置の省スペース化を図ることが可能である。
【０１２６】
なお、本実施の形態２においては、ユーザの指のタッチを検出するタッチパネル８０を設けて、図７のステップＳ１２において、指の検知が有るかどうかを判断する方式について説明したが、タッチパネル８０の代わりに、温度センサパネルを用いることも可能である。温度センサパネルは、ユーザの指のタッチに従って温度変化を検出することが可能であるものとする。したがって、タッチパネルと同様に用いることが可能である。
【０１２７】
なお、ＭＦＰ１００，１１０を制御する各部について、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１２８】
なお、プログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１２９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１３０】
提供されるプログラム製品は、ハードディスクなどのプログラム格納部にインストールされて実行される。なお、プログラム製品は、プログラム自体と、プログラムが記録された記録媒体とを含む。
【０１３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３２】
【図１】本発明の実施の形態１に従うＭＦＰ１００の構成を説明する図である。
【図２】本発明の実施の形態１に従うＭＦＰ１００の機能ブロック図である。
【図３】本発明の実施の形態１に従う情報表示読取部１３の構成を説明する図である。
【図４】本発明の実施の形態１に従う表示読取ユニット３の構成を説明する図である。
【図５】本発明の実施の形態１に従うＭＦＰ１００における操作パネル１０の構成を説明する図である。
【図６】本発明の実施の形態１に従う原稿読取を実行する処理の流れを説明するフロー図である。
【図７】本発明の実施の形態１に従う読取基準判定処理を説明するフロー図である。
【図８】本発明の実施の形態１に従う読取基準判定処理において、指を検知する場合を説明する図である。
【図９】本発明の実施の形態１に従う読取基準判定処理において、指を検知する別の場合を説明する図である。
【図１０】本発明の実施の形態１に従う読取基準判定処理において、指を検知するさらに別の場合を説明する図である。
【図１１】本発明の実施の形態１に従う読取基準判定処理において、原稿を載置した場合に指を検知した場合を説明する別の図である。
【図１２】本発明の実施の形態１に従う読取基準判定処理において、天地が反対となった状態で原稿を載置した場合に指を検知した場合を説明する図である。
【図１３】本発明の実施の形態１に従う集約処理を実行する場合の読取基準を指定する場合の処理を説明する図である。
【図１４】本発明の実施の形態２に従うＭＦＰ１１０の機能ブロック図である。
【図１５】タッチパネル８０を複数の表示読取ユニットの上部に設けた場合を説明する図である。
【図１６】本発明の実施の形態２に従う読取基準判定処理において、指を検知する場合を説明する図である。
【図１７】本発明の実施の形態２に従う集約処理を実行する場合の読取基準を指定する場合の処理を説明する図である。
【符号の説明】
【０１３３】
１０  操作パネル、２０  制御部、２２  内部バス、２６  記憶部、３０  画像読取部、３２  光センサ駆動制御部、３５  印刷部、４０  操作部、４５  表示部、４７  液晶駆動制御部、５０  光センサパネル部、６０  液晶パネル部、８０  タッチパネル、１００，１１０  ＭＦＰ。
【図１】
2010141511.tif 000003
【図２】
2010141511.tif 000004
【図３】
2010141511.tif 000005
【図４】
2010141511.tif 000006
【図５】
2010141511.tif 000007
【図６】
2010141511.tif 000008
【図７】
2010141511.tif 000009
【図８】
2010141511.tif 000010
【図９】
2010141511.tif 000011
【図１０】
2010141511.tif 000012
【図１１】
2010141511.tif 000013
【図１２】
2010141511.tif 000014
【図１３】
2010141511.tif 000015
【図１４】
2010141511.tif 000016
【図１５】
2010141511.tif 000017
【図１６】
2010141511.tif 000018
【図１７】
2010141511.tif 000019